(57)【要約】【課題】ファンモータの出力負荷を軽減させて消費電力を抑え、且つ外気取入れ用ボックスの設置が不要にできる空気調和機を提供すること。【解決手段】ユニット本体１の通風路中に設けられたファン２と、上記ファン２を略囲繞するように設けられた熱交換器５と、上記熱交換器５の下部側に設けられたドレンパン６を有してなる空気調和機において、上記ドレンパン６の下部側で上記ユニット本体１の側面部に外気取入れ口１２を設けた構成にされている。【選択図】      図４
2004278982.tif 000002
【特許請求の範囲】
【請求項１】
ユニット本体の通風路中に設けられたファンと、上記ファンを略囲繞するように設けられた熱交換器と、上記熱交換器の下部側に設けられたドレンパンを有してなる空気調和機において、上記ドレンパンの下部側で上記ユニット本体の側面部に外気取入れ口を設けたことを特徴とする空気調和機。
【請求項２】
上記ファンを中心に上記外気取入れ口と反対側に室内空気温度センサーを設けたことを特徴とする請求項１記載の空気調和機。
【請求項３】
上記ファンを中心に上記外気取入れ口と反対側に制御装置を設けたことを特徴とする請求項１または請求項２記載の空気調和機。
【発明の詳細な説明】
【０００１】
【発明の属する技術分野】
本発明は、ユニット本体の吹出し風路内より外気流入風路を無くすことにより、ファンモータの出力負荷を軽減させて消費電力を抑え、外気取入れ用ボックスの設置を不要にできる空気調和機に関するものである。
【０００２】
【従来の技術】
例えば図７に示す従来例（例１）の空気調和機において、１はユニット本体、２はファンでありモータ３を介してユニット本体１の内側に設けられている。４はベルマウスでありファン２の下部に設けられている。５は熱交換器でありファン２を囲むようにユニット本体１の内側に設けられている。６はドレンパンであり熱交換器５の下部に設けられていて外気の流入風路の一部を形成する。１ｂはユニット本体内部を断熱する発泡スチロール製ケーシングであって、外気取入れ口１２及び外気の流入風路１２ａを形成するために熱交換器５の側方に張り出している。１４ａは室内空気温度センサーでありユニット本体内の外気取入れ口１２寄りに設けられている。なお、図中符号１ａは外郭、７はパネル、１０はフィルタ、１１はメンテナンスパネルである。
【０００３】
また、図８に示す従来例（例２）の空気調和機において、１はユニット本体、２はファンでありモータ３を介しユニット本体１の内側に設けられている。４はベルマウスでありファン２の下部に設けられている。５は熱交換器でありファン２を囲むようにユニット本体１の内側に設けられている。６はドレンパンで熱交換器５の下部に設けられている。１ｂはユニット内部を断熱する発泡スチロール製ケーシングである。１６は外気の流入口を設けるためのボックスであり外気取入れ口１２及び外気流入風路１２ａを備えている。なお、図中符号１ａは外郭、７はパネル、１０はフィルタ、１１はメンテナンスパネル、１６ａは外気取入ボックス外郭である。
【０００４】
また、図９に示す従来例（例３）の空気調和機において、１はユニット本体、２はファンでありモータ３を介しユニット本体１の内側に設けられている。４はベルマウスでありファン２の下部に設けられている。５は熱交換器でありファン２を囲むようにユニット本体１の内側に設けられている。６はドレンパンであり熱交換器５の下部に設けられている。１ｂはユニット本体内部を断熱する発泡スチロール製ケーシングである。ユニット本体天面の外郭１ａおよびケーシング１ｂには外気取入れ口１２を設け、この外気取入れ口１２に外気ダクト２１を接続している。なお、図中符号７はパネル、８は吸込口、９は吹出口、１０はフィルタ、１１はメンテナンスパネル、１３はルーバである。
【０００５】
【発明が解決しようとする課題】
従来の空気調和機は上記のように構成されているので、それぞれ解決すべき次の（１）〜（６）の課題があった。
【０００６】
（１）図７のように例１の空気調和機では、外気を取入れるにはケーシング１ｂが熱交換器５の側方に張り出し、流入風路１２ａを圧迫する形となるため、機内抵抗が増大し、モータ３の運転負荷を上昇させ、消費電力が上がる問題があった。
【０００７】
（２）風量を確保するため、必要以上にファンを高回転で回す必要があり、騒音値が上昇する問題があった。
【０００８】
（３）外気取入れの流入風路１２ａの形状が曲折して複雑なため、吸込み圧が高く取り込み量が非常に少ないという問題があった。
【０００９】
（４）室内空気温度センサー１４ａが外気取入れ口１２寄りに設けられているため、外気取入空気温度や外気取入空気と室内空気の混合空気温度を検知してしまい、正確に室内空気温度を測れない問題があった。
【００１０】
（５）図８のように例２の空気調和機では、ユニット本体１とは別に外気取入ボックス１６を設置して外気取入れ口１２を別途設ける必要が有り、取付け工事、製品質量が増え、工事性、据付性が悪くなるという問題があった。
【００１１】
【特許文献１】
特許第３２７６９４１号
【００１２】
（６）図９のように例３の空気調和機では、ユニット本体天面に外気取入れ口１２を装備し、外気ダクト２１を接続する場合、ユニット本体高さと外気ダクト分の天井高さが必要で、十分な天井高さがない設置場所の場合、外気を取入れることができないという問題があった。
【００１３】
【特許文献２】
特許第３０８１５２５号
【００１４】
本発明は上記（１）〜（６）の課題を解決し、ファンモータの出力負荷を軽減させて消費電力を抑え、且つ外気取入れ用ボックスの設置が不要にできる空気調和機を提供することを目的とする。
【００１５】
【課題を解決するための手段】
第一の発明に係る空気調和装置は、ユニット本体の通風路中に設けられたファンと、ファンを略囲繞するように設けられた熱交換器と、熱交換器の下部側に設けられたドレンパンを有してなる空気調和機において、ドレンパンの下部側でユニット本体の側面部に外気取入れ口を設けたものである。
【００１６】
第二の発明に係る空気調和装置は、第一の発明に係る空気調和機の構成において、ファンを中心に外気取入れ口と反対側に室内空気温度センサーを設けたものである。
【００１７】
第三の発明に係る空気調和装置は、第一または第二の発明に係る空気調和機の構成において、ファンを中心に外気取入れ口と反対側に制御装置を設けたものである。
【００１８】
【発明の実施の形態】
以下、この発明の実施の形態について説明する。
実施の形態１．
図３において、１はユニット本体、２はファンでモータ３を介してユニット本体１の内側に設けられている。ユニット本体１は、板金製の外郭１ａと発泡スチロール製ケーシング１ｂで構成される。４は樹脂成形で作られたベルマウスで、ファン２の下部に設けられており、ファン２を下面より取り外しできるようにファン２よりも大きく設定されている。５は熱交換器であり、図１で示すようにファン２を囲むようにユニット本体１の内側に設けられている。また、１７，１８はガス側、液側の冷媒配管であり、熱源側のユニットに接続される。
【００１９】
図４において、ユニット本体１の反配管側２０には、外気を取入れるときにだけ開口可能なノックアウト穴である外気取入れ口１２が設けてある。
【００２０】
ドレンパン６には、図４、図６で示すように外気をユニット本体吸込み部に導入するための外気取入れ口１２と、外気が流れる風路となる空間の流入風路１２ａとが設けられている。外気を容易にユニット本体１に取り込めるようにドレンパン６の下部は大きく開口され、また滑らかな風路となるようにドレンパン６は流入風路１２ａの一部を構成している。ここでドレンパン６は加工性を考慮して発泡スチロール製とする。
【００２１】
図５で示すように、１４は室内の温度調節をするために室内空気温度を検知する室内空気温度センサーであり、外気取入空気温度の影響を受けないように、ファン２を中心に外気取入れ口１２の反対側の中央部に配置され、制御装置１５に接続されている。ファン２を中心に外気取入れ口１２と反対側に室内空気温度センサー１４を設けたことにより、室内空気温度を誤検知することなく室温制御が行える。また制御装置１５についても、外気取入空気温度により結露等の不具合を避けるために外気取入れ口１２とはファン２を中心として反対側に設けられている。ファン２を中心に外気取入れ口１２と反対側に制御装置１５を備えたので、制御装置１５を結露から防ぐことができる。
【００２２】
これらすべてをユニット本体１の内側に収納して、パネル７がユニット本体１の下部に設けられている。このパネル７には、図２、図３に示すように中央付近に室内の空気を吸い込む吸込口８とパネル７の外周付近にユニット本体１の内部で熱交換された空気を吹き出す吹出口９が備え付けられている。吸込み口８から吸い込まれた室内の空気はフィルタ１０を通過してユニット本体内に取り込まれる。１１はメンテナンスパネルであり、メンテナンスパネル１１を取り外すことにより、フィルタ１０やファン２、モータ３などのメンテナンスを行える。図５に図２からパネル７を取り外した状態を下面から見た様子を示し、図３は図１のＡ−Ａ断面図を示し、図４は図１のＢ−Ｂ断面図を示す。
【００２３】
次に作用（動作）について説明する。モータ３が作動すると、モータ３に設けられているファン２が回転し、吸込口８から室内の空気を吸い込み、外気取入れ口１２から外気を取入れ、取入れられた外気はドレンパン６の下部を通り、フィルタ１０を通過した室内空気と混合され、ベルマウス４によりファン２に吸い込まれる。ファン２が吸い込んだ空気は熱交換器５を経由し、吹き出し口９から室内に向けて吹き出される。
【００２４】
外気はファン２の吸い込み圧により誘引されるがベルマウス４の下部よりファン２に吸い込まれるため、室内空気温度センサー１４は外気より取入れられた空気の影響を受けず、室内空気温度のみを検知する。
【００２５】
【発明の効果】
この発明は、以上説明したように構成されているので、以下に示すような効果を奏する。
【００２６】
本発明に係る空気調和機は、ユニット本体の通風路中に設けられたファンと、ファンを略囲繞するように設けられた熱交換器と、熱交換器の下部側に設けられたドレンパンを有してなる空気調和機において、前記ドレンパンの下部側でユニット本体の側面部に外気取入れ口を設けたので、ユニット本体に直接外気を取入れができ、また、ユニット本体の側面部に外気ダクトを接続することができ、且つ、外気取入れ用ボックスを必要としないため、ユニット本体高さを上げることなく、低コストで、軽量な空気調和機を提供することができる。
【図面の簡単な説明】
【図１】本発明の実施の形態１における空気調和装置の外形を示す図であって、（Ａ）は平面図、（Ｂ）は側面図、（Ｃ）は正面図である。
【図２】本発明の実施の形態１における空気調和装置の下面から見た外形図である。
【図３】本発明の実施の形態１における空気調和装置のＡ−Ａ断面図である。
【図４】本発明の実施の形態１における空気調和装置のＢ−Ｂ断面図である。
【図５】本発明の実施の形態１における空気調和装置の下面から見た内部説明図である。
【図６】本発明の実施の形態１における空気調和装置のドレンパンを示す図であって、（Ａ）は一方向からドレンパンを見た斜視図、（Ｂ）は（Ａ）と反対の方向からドレンパンを見た斜視図である。
【図７】従来の空気調和装置の横断面図（例１）である。
【図８】従来の空気調和装置の横断面図（例２）である。
【図９】従来の空気調和装置の横断面図（例３）である。
【符号の説明】
１  ユニット本体、１ａ  外郭、１ｂ  ケーシング、２  ファン、３  モータ、４  ベルマウス、５  熱交換器、６  ドレンパン、７  パネル、８  吸込口、９  吹出口、１０  フィルタ、１１  メンテナンスパネル、１２  外気取入れ口、１２ａ  外気流入風路、１３  ルーバ、１４  室内空気温度センサー、１４ａ室内空気温度センサー、１５  制御装置、１６  外気取入ボックス、１６ａ  外気取入ボックス外郭、１７  ガス側冷媒配管、１８  液側冷媒配管、１９  配管側、２０  反配管側、２１  外気ダクト。
【図１】
2004278982.tif 000003
【図２】
2004278982.tif 000004
【図３】
2004278982.tif 000005
【図４】
2004278982.tif 000006
【図５】
2004278982.tif 000007
【図６】
2004278982.tif 000008
【図７】
2004278982.tif 000009
【図８】
2004278982.tif 000010
【図９】
2004278982.tif 000011